(57)【要約】【課題】  無線通信を利用する携帯用電子機器に接続することにより、当該携帯用電子機器の受信感度を向上させることが可能となるアンテナ内蔵ストラップを提供すること。【解決手段】  本発明のアンテナ内蔵ストラップ１は、アンテナ１２、１３を備える携帯用電子機器１１の外部に配設されているアンテナ部３ａと、携帯用電子機器１１とアンテナ部３ａとを接続する接続部３ｂとを有する外部アンテナ３と、アンテナ部３ａを長手方向に有している中空紐の両端付近を結束して環状に形成されているとともに、当該環が人体Ｈの首Ｎ、手首その他人体Ｈの一部分に挿通して当該一部分から懸架可能となるような大きさを有して形成されているストラップ部２ａと、ストラップ部２ａの一部分に携帯用電子機器１１を連結させる連結部２ｃとを有するストラップ本体２とを備えていることを特徴としている。【選択図】      図１
2006319731.tif 000002
【特許請求の範囲】
【請求項１】
筐体内にアンテナを備える携帯用電子機器の外部に配設されているアンテナ部と、前記携帯用電子機器と前記アンテナ部とを接続する接続部とを有する外部アンテナと、
前記外部アンテナのアンテナ部が内蔵されているとともに、人体の一部分から懸架可能となるような大きさの環状に形成されているストラップ部と、前記ストラップ部の一部分に前記携帯用電子機器を連結させる連結部とを有するストラップ本体と
を備えていることを特徴とするアンテナ内蔵ストラップ。
【請求項２】
前記外部アンテナは、地上デジタルテレビジョン放送用電波を受信するＩＳＤＢ−Ｔ用アンテナとなるように形成されている
ことを特徴とする請求項１に記載のアンテナ内蔵ストラップ。
【請求項３】
前記ストラップ本体は、前記携帯用電子機器に内蔵されたチューナを制御する遠隔制御手段を有している
ことを特徴とする請求項１または請求項２に記載のアンテナ内蔵ストラップ。
【発明の詳細な説明】
【技術分野】
【０００１】
本発明は、アンテナ内蔵ストラップに係り、特に、無線通信を利用する携帯用電子機器に接続する外部アンテナとして好適に利用可能となるアンテナ内蔵ストラップに関する。
【背景技術】
【０００２】
従来より、携帯電話機、ＰＤＡ（個人用携帯情報端末機）その他の無線通信を利用する携帯用電子機器（以下、単に「携帯用電子機器」という。）は、所望の電波を受信するアンテナを備えている。このアンテナにおいては、受信電波の周波数や受信感度などに応じてその形状や配置などが決められている。例えば、極超短波（ＵＨＦ）を利用する携帯電話機は、その筐体から外部に向かって延出するホイップアンテナと、その筐体内部に配設されている内蔵アンテナとを有しており、このホイップアンテナおよび内蔵アンテナによって、当該携帯電話機は空間ダイバーシティを構成してその受信感度を向上させている（特許文献１を参照）。
【０００３】
また、所望の受信感度と高い携帯性を得るため、携帯用電子機器に用いられるイヤホーンやヘッドホーンなどに一体成形された外部アンテナを当該携帯用電子機器のアンテナとして利用する場合もある。その一例として、ダイバーシティアンテナ兼用ヘッドホーンは、当該スピーカ部のＧＮＤ信号線から所望の電波を受信し、ダイバーシティアンテナ兼用ヘッドホーンに接続された当該携帯用電子機器に受信した電波の電気信号を転送することが可能となっている（特許文献２を参照）。
【０００４】
【特許文献１】特開平８−７９１５２号公報
【特許文献２】特開２００３−１６３５２９号公報
【発明の開示】
【発明が解決しようとする課題】
【０００５】
しかしながら、携帯用電子機器のホイップアンテナおよび内蔵アンテナを利用して空間ダイバーシティを構成した場合であっても、携帯用電子機器の筐体サイズの制限により、ホイップアンテナから内蔵アンテナまでの距離を大きくすることができず、当該携帯用電子機器に対してフェージング対策を効果的に施すことが困難であるという問題があった。
【０００６】
また、携帯用電子機器に接続されるダイバーシティアンテナ兼用ヘッドホーンは、通常、携帯用電子機器の接続部からスピーカ部までのＧＮＤ信号線を弛ませて用いられる傾向にあることから、高い受信感度の向上を期待することが難しく、携帯用電子機器に対してフェージング対策を効果的に施しているとまでは至っていかったという問題があった。
【０００７】
そこで、本発明はこれらの点に鑑みてなされたものであり、携帯電話機、ＰＤＡ（個人用携帯情報端末機）その他の無線通信を利用する携帯用電子機器に接続することにより、当該携帯用電子機器の受信感度を向上させることが可能となるアンテナ内蔵ストラップを提供することを本発明の目的としている。
【課題を解決するための手段】
【０００８】
前述した目的を達成するため、本発明のアンテナ内蔵ストラップは、その一の態様として、筐体内にアンテナを備える携帯用電子機器の外部に配設されているアンテナ部と、携帯用電子機器とアンテナ部とを接続する接続部とを有する外部アンテナと、外部アンテナのアンテナ部が内蔵されているとともに、人体の一部分から懸架可能となるような大きさの環状に形成されているストラップ部と、ストラップ部の一部分に携帯用電子機器を連結させる連結部とを有するストラップ本体とを備えていることを特徴としている。
【０００９】
これにより、携帯用電子機器の筐体内のアンテナとアンテナ内蔵ストラップの外部アンテナとによる空間ダイバーシティおよび偏波ダイバーシティ効果を効果的かつ相乗的に得ることが可能となる。
【００１０】
また、前述した外部アンテナは、地上デジタルテレビジョン放送用電波を受信するＩＳＤＢ−Ｔ用アンテナとなるように形成されていることが好ましい。
【００１１】
これにより、地上デジタルテレビジョン放送用電波を効率よく受信することが可能となる。
【００１２】
さらに、前述したストラップ本体は、携帯用電子機器に内蔵されたチューナを制御する遠隔制御手段を有していることが好ましい。
【００１３】
これにより、携帯用電子機器を直接的に操作することなく、携帯用電子機器に表示された地上デジタルテレビジョン放送のチャンネル（周波数）選択や音量などをアンテナ内蔵ストラップのみにより適宜選択することが可能となり、もって携帯用電子機器の利便性を向上させることが可能となる。
【発明の効果】
【００１４】
本発明のアンテナ内蔵ストラップは、前述したように形成されているため、携帯用電子機器が所望の電波を効率よくダイバーシティ受信して、フェージングによる信号劣化を効果的に防止することが可能となる。これにより、当該携帯用電子機器等の受信感度が向上するという効果を奏する。
【発明を実施するための最良の形態】
【００１５】
以下、図１から図４を用いて、本発明のアンテナ内蔵ストラップの実施形態を説明する。ここで、図１は、本実施形態のアンテナ内蔵ストラップおよび携帯用電子機器を平面的に示したものである。図２は本実施形態のアンテナ内蔵ストラップの回路図を概略的に示したものである。図３は、本実施形態のアンテナ内蔵ストラップを人体の首から懸架した状態を概略的に示したものである。そして、図４は、他の実施形態のアンテナ内蔵ストラップを人体の手首から懸架した状態を概略的に示したものである。
【００１６】
本実施形態のアンテナ内蔵ストラップ１は、図１に示すように、携帯電話機、ＰＤＡ（個人用携帯情報端末機）その他の無線通信を利用する携帯用電子機器（以下、単に「携帯用電子機器」という。）１１に接続して利用することが可能となるように形成されている。具体的には、このアンテナ内蔵ストラップ１は、図１に示すように、ストラップ本体２、外部アンテナ３および遠隔制御手段６を有している。このストラップ本体２は、ストラップ部２ａ、結束部２ｂおよび連結部２ｃを有しており、外部アンテナ３は、アンテナ部３ａおよび接続部３ｂとを有している。
【００１７】
ストラップ本体２のストラップ部２ａは、合成樹脂繊維を編み込むことによって、可撓性を有する帯状の中空紐（ストラップ）となるように形成されている。また、この中空状のストラップ部２ａの両端付近は、図１に示すように、結束部２ｂによって結束されることにより、環状に形成されている。そして、この環状に形成されたストラップ部２ａは、環状のストラップ部２ａを人体Ｈの首Ｎに掛けると、結束部２ｂが人体Ｈの胸部から腹部までの間の部位に配置されるような長さを有して形成されている。
【００１８】
ストラップ部２ａの両端付近を結束する結束部２ｂは、ＡＢＳ（アクリルニトリル・ブタジエン・スチレン共重合体）樹脂などの機械的特性に優れた合成樹脂を用いて、軽量かつ耐衝撃性に優れた箱状に形成されている。また、この結束部２ｂの内部においては、ストラップ部２ａの両端付近が結束されている。そして、この結束部２ｂの外部におけるストラップ部２ａと対向する位置には、携帯用電子機器１１を連結する連結部２ｃが形成されている。
【００１９】
連結部２ｃは、携帯用電子機器１１を連結させても破断しないような強靱な合成樹脂繊維を環状にして形成されている。また、この環状の連結部２ｃは、携帯用電子機器１１のＬ字もしくはＵ字トンネル状の取付孔１１ｂに挿通して結び付けることが可能な程度の長さを有して形成されている。
【００２０】
また、外部アンテナ３のアンテナ部３ａは、ポリエチレンテレフタレートなどの合成樹脂によって形成された可撓性絶縁基板上に、アルミニウムや銅などの導線を薄膜形成することによって平面状に形成されている。このアンテナ部３ａは、ストラップ部２ａの幅方向（短手方向）の長さよりも短い幅寸法を有して形成されており、中空のストラップ部２ａの一端から当該アンテナ部３ａをそのストラップ部２ａの長手方向へ挿通して配設されている。
【００２１】
この可撓性絶縁基板上に形成されたアンテナ部３ａの導線は、ストラップ部２ａの長手方向に対して、受信電波の波長の１／４もしくは１／２倍の長さを有するモノポールアンテナとなるように形成されている。本実施形態においては、地上デジタルテレビジョン放送用チューナ１５（図２参照）を備えている携帯用電子機器１１に接続することによって地上デジタルテレビジョン放送を受信するＩＳＤＢ−Ｔ（地上デジタルテレビジョン放送）用アンテナとなるように、アンテナ部３ａが形成されている。
【００２２】
このアンテナ部３ａの一端に形成された接続部３ｂは、アンテナ部３ａが受信した電波を電気信号として搬送する接続線３ｃと、当該導線の他の一端に結合している接続プラグ３ｄとを有している。この接続線３ｃは、同軸ケーブルを用いて形成されており、絶縁性の合成樹脂を用いて形成された筒状の保護カバー４によって、結束部２ｂから接続プラグ３ｄまでの間を覆われている。また、接続端子は、平型プラグ（ＲＣ−５２４０）などの規格化されている形状に形成されている。なお、この接続プラグ３ｄは、外部アンテナ３以外の各部材に用いられる接続線に対しても利用できるように複数の接続端子を有している。
【００２３】
これらストラップ本体２および外部アンテナ３が接続される携帯用電子機器１１は、図２に示すように、ホイップアンテナ１２、内蔵アンテナ１３、アンテナ切替手段１４、チューナ１５、電源１９、制御手段１６、ディスプレイ１７およびスピーカ１８を有している。
【００２４】
携帯用電子機器１１のホイップアンテナ１２は、受信する電波の波長の１／４倍の長さを有して形成されており、携帯用電子機器１１の筐体に対して出し入れ可能なように配設されている。また、内蔵アンテナ１３は、アルミニウムや銅などの金属材料を細長の平板状にして形成されており、その長手方向がホイップアンテナ１２の長手方向に対して直角をなすように携帯用電子機器１１の筐体内部に配設されている。
【００２５】
アンテナ切替手段１４は、ホイップアンテナ１２、内蔵アンテナ１３および接続プラグ３ｄが差し込まれる接続ソケット１１ａに接続されており、ホイップアンテナ１２、内蔵アンテナ１３および外部アンテナ３から得られた受信電波の電気信号を適宜切替もしくは合成するように形成されている。
【００２６】
アンテナ切替手段１４に接続しているチューナ１５は、地上デジタルテレビジョン放送用チューナ１５となるように形成されており、受信電波の電気信号から所望のチャンネル（周波数）の電気信号を選別し、映像信号と音声信号とを分離するように形成されている。また、このチューナ１５は、分離した映像信号と音声信号とを制御手段１６に出力するように形成されている。
【００２７】
チューナ１５に接続された制御手段１６は、所望のチャンネル（周波数）の電気信号をチューナ１５に選別させる制御を行うように形成されている。また、この制御手段１６は、チューナ１５から得られた映像信号をディスプレイ１７に出力して所望の画像を表示し、チューナ１５から得られた音声信号をスピーカ１８に出力して所望の音声を出力する制御を行えるように形成されている。そして、この制御手段１６は、電源１９にも接続されており、電源１９に接続された各種部材に所望の電力を供給する制御を行うように形成されている。
【００２８】
電源１９は、携帯用電子機器１１の各種部材１４〜１８に駆動電力を供給するように形成されている。また、この電源１９は、アンテナ切替手段１４を介して、ホイップアンテナ１２、内蔵アンテナ１３および外部アンテナ３に給電するように形成されている。
【００２９】
そして、携帯用電子機器１１の電源１９および制御手段１６には、アンテナ内蔵ストラップ１の遠隔制御手段６が接続されている。この遠隔制御手段６は、図２に示すように、携帯用電子機器１１の電源１９から直列に接続された複数の抵抗の間およびその列の後端にそれぞれスイッチ７Ａ、７Ｂ、７Ｃ、７Ｄの一端を接続し、また、それら各スイッチ７Ａ、７Ｂ、７Ｃ、７Ｄの他端に電源１９と接続されたＧＮＤ信号線を接続することにより形成されている。このスイッチ７Ａ、７Ｂ、７Ｃ、７Ｄは、薄型化が容易なメンブレンスイッチとなるように形成されており、図１に示すように、そのスイッチ７Ａ、７Ｂ、７Ｃ、７Ｄの入力面７ａ、７ｂ、７ｃ、７ｄがストラップ部２ａの表面に一体となって形成されている。このスイッチ７Ａ、７Ｂ、７Ｃ、７Ｄの入力面７ａ、７ｂ、７ｃ、７ｄとなるストラップ部２ａの表面には、図１に示すように、所望のチャンネル（周波数）の選出に用いられているマーク７ａ、７ｂや、音量の調整に用いられているマーク７ｃ、７ｄが形成されている。このようなスイッチ７Ａ、７Ｂ、７Ｃ、７Ｄを有する遠隔制御手段６は、アンテナ内蔵ストラップ１のストラップ部２ａおよび保護カバー４を通過し、接続プラグ３ｄを介して、携帯用電子機器１１に接続することが可能となるように配設されている。
【００３０】
次に、図２および図３を用いて、本実施形態のアンテナ内蔵ストラップ１の作用を説明する。
【００３１】
本実施形態のアンテナ内蔵ストラップ１は、連結部２ｃを介して携帯用電子機器１１の取付孔１１ｂに連結されている。また、このアンテナ内蔵ストラップ１は、図３に示すように、ストラップ部２ａの内部に外部アンテナ３のアンテナ部３ａを有しているとともに、利用主体である人体Ｈの首Ｎから懸架して当該携帯用電子機器１１を持ち歩くことが可能となっている。これによって、アンテナ内蔵ストラップ１に連結された携帯用電子機器１１の利用主体が、特に意識することなく、受信感度を向上させることが容易なアンテナ内蔵ストラップ１の外部アンテナ３をその携帯用電子機器１１とともに携帯することが可能となる。
【００３２】
また、本実施形態のアンテナ内蔵ストラップ１の外部アンテナ３は、図２に示すように、接続プラグ３ｄを介してアンテナ切替手段１４に接続されている。このアンテナ切替手段１４は、ホイップアンテナ１２、内蔵アンテナ１３および外部アンテナ３のアンテナ部３ａから得られた受信電波の電気信号を適宜切替もしくは合成するように形成されている。また、本実施形態のアンテナ内蔵ストラップ１は、外部アンテナ３が接続部３ｂを介して携帯用電子機器１１に接続されていることから、ホイップアンテナ１２および内蔵アンテナ１３と外部アンテナ３のアンテナ部３ａとを受信電波の１／４倍の波長分以上の間隔を有して配設することが可能となっている。このことから、外部アンテナ３を用いることによって、ホイップアンテナ１２および内蔵アンテナ１３を有する携帯用電子機器１１は空間ダイバーシティ効果を得ることが可能となる。特に、ホイップアンテナ１２と外部アンテナ３との構成においては、図３に示すように、利用主体が携帯用電子機器１１のディスプレイ１７を視認しやすいように当該利用主体の手Ａによって当該携帯用電子機器１１を立てながら保持することが多いことから、ホイップアンテナ１２と外部アンテナ３のアンテナ部３ａとが直交して偏波ダイバーシティを構成する傾向にあり、外部アンテナ３が接続された携帯用電子機器１１は、空間ダイバーシティ効果のみならず偏波ダイバーシティ効果を得ることが可能となる。
【００３３】
さらに、本実施形態のアンテナ内蔵ストラップ１は、地上デジタルテレビジョン放送用チューナ１５を備える携帯用電子機器１１に所望の受信電波の電気信号を伝搬するため、本実施形態の外部アンテナ３が地上デジタルテレビジョン放送用電波を受信するＩＳＤＢ−Ｔ用アンテナとなるように形成されている。これによって、本実施形態のアンテナ内蔵ストラップ１は、地上デジタルテレビジョン放送用電波を効率よく受信することが可能となっている。
【００３４】
前述したホイップアンテナ１２、内蔵アンテナ１３および外部アンテナ３を利用すると、携帯用電子機器１１は所望の地上デジタルテレビジョン放送用電波を効率よく受信する。それら３つのアンテナによって受信された電波は、電気信号に変えられて、その後にアンテナ切替手段１４を介してチューナ１５に送られる。チューナ１５は、当該受信電波の電気信号から所望のチャンネル（周波数）の電気信号を選別し、映像信号と音声信号とを分離すると、当該映像信号と音声信号とを制御手段１６に出力する。そして、制御手段１６は、映像信号をディスプレイ１７に出力して所望の画像を表示するとともに、チューナ１５から得られた音声信号をスピーカ１８に出力して所望の音声を出力する制御を行なう。
【００３５】
ここで、本実施形態のアンテナ内蔵ストラップ１は、接続プラグ３ｄを介して当該携帯用電子機器１１に接続された遠隔制御手段６を有しているとともに、当該遠隔制御手段６は、図１に示すように、所望の地上デジタルテレビジョン放送用チャンネル（周波数）の選出や、地上デジタルテレビジョン放送の音量の調整を行なうためのスイッチ７Ａ、７Ｂ、７Ｃ、７Ｄを有している。これにより、携帯用電子機器１１に配設された操作ボタンなどを直接的に操作することなく、地上デジタルテレビジョン放送のチャンネル（周波数）や音量などをアンテナ内蔵ストラップ１のみにより適宜選択することが可能となっている。これにより、本実施形態のアンテナ内蔵ストラップは、携帯用電子機器１１の利便性を向上させることが可能となっている。
【００３６】
すなわち、本発明のアンテナ内蔵ストラップによって、携帯用電子機器が所望の電波を効率よくダイバーシティ受信して、フェージングによる信号劣化を効果的に防止することが可能となる。これにより、当該携帯用電子機器等の受信感度が向上する効果を奏する。また、アンテナ内蔵ストラップは、携帯用電子機器のチューナに接続された制御手段を制御する遠隔制御手段を有していることから、高い携帯性を有するアンテナ内蔵ストラップの利便性をさらに向上させることが可能となる効果を奏する。
【００３７】
なお、本発明は、前述した実施形態などに限定されるものではなく、必要に応じて種々の変更が可能である。例えば、前述した本実施形態のアンテナ内蔵ストラップ１においては、人体Ｈの首Ｎからストラップ部２ａを懸架して利用することを想定して、そのストラップ部２ａの長さが決められているが、他の実施形態においては、図４に示すように、人体Ｈの手Ａ（手首）からストラップ部２ａを懸架して利用することを想定して、そのストラップ部２ａの長さが決定されていても良い。つまり、本発明のアンテナ内蔵ストラップは、利用主体の懸架態様に合わせて形成することが可能となっている。
【図面の簡単な説明】
【００３８】
【図１】本発明のアンテナ内蔵ストラップおよび携帯用電子機器の一態様を示した平面図
【図２】本実施形態のアンテナ内蔵ストラップの構造を示した概略的な回路図
【図３】本実施形態のアンテナ内蔵ストラップを人体の首から懸架した状態を示した概略図
【図４】本発明における他の態様のアンテナ内蔵ストラップを人体の手首から懸架した状態を示した概略図
【符号の説明】
【００３９】
１  アンテナ内蔵ストラップ
２  ストラップ本体
２ａ  ストラップ部
２ｂ  結束部
２ｃ  連結部
３  外部アンテナ
３ａ  アンテナ部
３ｂ  接続部
３ｃ  接続線
３ｄ  接続プラグ
４  保護カバー
６  遠隔制御手段
７Ａ、７Ｂ、７Ｃ、７Ｄ  スイッチ
７ａ、７ｂ、７ｃ、７ｄ  スイッチの入力面
１１  携帯用電子機器
１１ａ  接続ソケット
１１ｂ  （連結部の）取付孔
１２  ホイップアンテナ
１３  内蔵アンテナ
１４  アンテナ切替手段
１５  チューナ
１６  制御手段
１７  ディスプレイ
１８  スピーカ
１９  電源
【図１】
2006319731.tif 000003
【図２】
2006319731.tif 000004
【図３】
2006319731.tif 000005
【図４】
2006319731.tif 000006